(57)【要約】【課題】認証センターにおいて原シーンに対する忠実性を判断することができ、より正確に認証することが可能となる情報を認証センターへ登録することができるデジタルカメラを提供する。【解決手段】デジタルカメラ１０は、通信機能を備えており、撮影した画像の画像データを認証センター６２へ送信する。認証センター６２は、デジタルカメラ１０から送信された原画像データ及び画像処理情報等を含む撮影関連情報を登録する。認証要求側６４から認証要求された場合には、原画像データが、認証要求された画像データとどの程度異なるか、例えば画像処理によりどの色の再現性が悪くなるか等を撮影関連情報に基づいて判定し、この判定結果を認証結果に含め、認証要求側６４へ提供する。【選択図】　　　図１
2004023147.tif 000002
【特許請求の範囲】
【請求項１】
被写体を撮像する撮像手段と、
前記撮像画像の画像データを外部へ取り出し不可能に一時的に記憶する記憶手段と、
提供された画像データを登録し且つ認証要求側から認証要求された画像データと前記登録された画像データとの比較結果を前記認証要求側へ提供する認証センターに対して、撮像画像の画像データ及び前記撮像手段の撮像に関する撮像関連情報を含む要求データを出力することにより該画像データ及び撮像関連情報の登録を前記認証センターへ要求する要求手段と、
前記要求手段による要求後に、前記画像データが外部へ取り出し可能となるよう前記記憶手段を制御する制御手段と、
を備えたデジタルカメラ。
【請求項２】
前記制御手段は、前記要求手段による要求後に、前記画像データを記録媒体に記録することを特徴とする請求項１記載のデジタルカメラ。
【請求項３】
前記画像データを外部へ取り出すための外部インターフェースをさらに備え、前記制御手段は、前記要求手段による要求後に、前記外部インターフェースによる前記画像データの出力を許可することを特徴とする請求項１又は請求項２記載のデジタルカメラ。
【発明の詳細な説明】
【０００１】
【発明の属する技術分野】
本発明は、デジタルカメラに係り、より詳しくは、画像処理を行うデジタルカメラに関する。
【０００２】
【従来の技術】
近年、ＣＣＤ等の撮像素子を備えたデジタルカメラが数多く流通している。このようなデジタルカメラでは、撮影時には、ＣＣＤの受光面に被写体像が結像され、ＣＣＤの各センサで入射光量に応じた量の信号電荷に変換される。そして、ＣＣＤに蓄積された信号電荷を画素毎に読み取って画像データに変換し、この画像データをメモリカードなどの記録媒体に記録している。また、ＣＣＤの小型化等により、デジタルカメラを搭載した携帯電話等も従来から提案されている（例えば特開平６−２３３０２０号公報参照）。
【０００３】
このようなデジタルカメラでは、撮影画像の画像データを銀塩カメラと比較して容易に得ることができる一方、その加工も容易に行うことができる。このため、例えば事件現場や事故現場等をデジタルカメラで撮影した撮影画像を証拠として利用しようとしても、その画像データが改ざんされている場合もあり得るため、証拠として利用するのは困難であった。
【０００４】
この問題を解決するため、デジタルカメラに暗号化機能を備え、撮影した画像を暗号化して認証センターへ送信し、これを認証センターにて登録すると共に、画像データの認証要求が認証センターになされた場合には、認証センターが登録した画像データに基づいて認証要求された画像データを認証することにより、デジタルカメラで撮影された画像を証拠として利用できるようにした認証システムが提案されている。
【０００５】
このようなシステムを図７に示す。図７に示す認証システム３００では、デジタルカメラ３０２は、撮影した画像（例えば事件現場や事故現場等の画像）の画像データを暗号化する機能を備えている。デジタルカメラ３０２で撮影された画像は暗号化され、例えばデジタルカメラ３０２のユーザが所有するパソコン３０４に取り込まれ、このパソコン３０４により、ネットワークを介して認証センター３０６へ送信される。
【０００６】
また、デジタルカメラ３０２で撮影された画像データは、例えばパソコン３０４によりフレキシブルディスクやＣＤ−Ｒ等の記録媒体３０８に記録され、必要に応じて認証要求側３１０へ提供される。ここで、認証要求側３１０としては、例えば事件現場等の撮影画像を裁判の資料として用いる裁判所や、事故現場等の撮影画像を保険適用の判断資料として用いる保険会社等がある。
【０００７】
認証センター３０６は、デジタルカメラ３０２で暗号化された画像データを復号化できる機能を有しており、送信された画像データを復号化して登録する。そして、認証要求側３１０から画像データが提供され、認証要求がなされた場合には、登録された画像データと比較し、一致すれば認証要求された画像データがオリジナルの画像データであることを認証結果として認証要求側３１０へ通知し、一致しない場合にはオリジナルの画像データでないことを認証結果として認証要求側３１０へ通知する。
【０００８】
【発明が解決しようとする課題】
しかしながら、デジタルカメラで撮影した画像は、従来の銀塩カメラで撮影した画像よりも忠実性に劣る場合がある。すなわち、銀塩写真の場合は、十分な解像度と粒子のランダム性によりエリアジング等のアーチファクトも発生しにくく、画像処理も現像処理等の範囲内でしか行うことができないため、原シーンを忠実に写すものとしての信頼性は、デジタルカメラで撮影された画像よりも高い場合が多いといえる。
【０００９】
また、デジタルカメラでは、ホワイトバランスを調整する等の画像処理を行うのが通常であるため、デジタルカメラの出力画像が原シーンに対してどれだけ忠実性があるかについては疑問がある場合も多い。
【００１０】
従って、上記従来技術では、デジタルカメラで撮影した画像の画像データをそのまま登録するものであるため、原シーンに対してどれだけ忠実性があるかについては判断することができず、より正確に認証することができない場合がある、という問題があった。
【００１１】
本発明は、上記事実に鑑みて成されたものであり、認証センターにおいて原シーンに対する忠実性を判断することができ、より正確に認証することが可能となる情報を認証センターへ登録することができるデジタルカメラを提供することを目的とする。
【００１２】
【課題を解決するための手段】
上記目的を達成するために、請求項１記載の発明のデジタルカメラは、被写体を撮像する撮像手段と、前記撮像画像の画像データを外部へ取り出し不可能に一時的に記憶する記憶手段と、提供された画像データを登録し且つ認証要求側から認証要求された画像データと前記登録された画像データとの比較結果を前記認証要求側へ提供する認証センターに対して、撮像画像の画像データ及び前記撮像手段の撮像に関する撮像関連情報を含む要求データを出力することにより該画像データ及び撮像関連情報の登録を前記認証センターへ要求する要求手段と、前記要求手段による要求後に、前記画像データが外部へ取り出し可能となるよう前記記憶手段を制御する制御手段と、を備えたことを特徴とする。
【００１３】
この発明によれば、撮像手段で撮像された撮像画像は、直接外部への取り出しが不可能な記憶手段に一時的に記憶される。
【００１４】
要求手段は、撮像画像の画像データ及び撮像手段による撮像に関する撮像関連情報を含む要求データを認証センターへ例えば通信回線を介して出力し、画像データ及び撮像関連情報の登録を要求する。
【００１５】
撮像関連情報は、例えば撮像手段の種類や特性を表す特性情報、撮像画像の画像処理に関する画像処理情報、撮影時の撮影条件等に関する撮影情報の少なくとも１つを含むことができる。
【００１６】
認証センターは、提供された画像データを登録すると共に、認証要求側から認証要求された場合には、その画像データと登録された画像データとを比較し、例えば画像データが一致するか否か等の比較結果を含む情報を認証要求側へ提供する。
【００１７】
そして、制御手段は、要求手段による要求後に、画像データが外部へ取り出し可能となるよう記憶手段を制御する。
【００１８】
このように、画像データの認証を行う認証センターに対して、画像データと共に、撮像に関する撮像関連情報も出力するため、認証センターでは画像データ及び撮像関連情報が登録される。これにより、認証要求された画像データが例えばどのような撮像手段で撮像されたか、どのような撮影条件で撮影されたか、どのような画像処理が施されたか等を容易に把握することができ、認証要求された画像が撮影時の原シーンに対してどの程度異なるか等を知ることができる。例えば、撮影関連情報から認証要求された画像データによる画像が青緑色の再現性が悪いと判断されるような場合には、認証要求された画像データを証拠として用いることができないことを認証結果とする。このように、撮影関連情報も登録することにより、より精度よく認証することが可能となる。
【００１９】
また、画像データの登録を要求した後でなければ外部へ画像データを取り出すことができないため、画像データが改ざんされないように画像データを暗号化して認証センターへ出力する必要がない。このため、処理負荷を軽減することができると共に、安価に装置を構成することができる。
【００２０】
なお、認証センターから画像データの登録が完了した旨の通知を待ってから画像データが外部へ取り出し可能となるよう制御することが好ましい。これにより、確実に画像データが登録された後に、画像データを外部へ取り出す事が可能となる。
【００２１】
請求項２記載の発明は、前記制御手段は、前記要求手段による要求後に、前記画像データを記録媒体に記録することを特徴とする。
【００２２】
この発明によれば、認証センターに対して画像データの登録を要求した後に、例えばメモリーカード等の記録媒体に画像データが記録される。これにより、画像データの利用が可能となる。
【００２３】
請求項３記載の発明は、前記画像データを外部へ取り出すための外部インターフェースをさらに備え、前記制御手段は、前記要求手段による要求後に、前記外部インターフェースによる前記画像データの出力を許可することを特徴とする。
【００２４】
この発明によれば、認証センターに対して画像データの登録を要求した後に、例えば外部インターフェースにより例えばパソコン等の外部装置への画像データの出力が許可される。これにより、画像データの利用が可能となる。
【００２５】
【発明の実施の形態】
以下、図面を参照して本発明の実施の形態の一例を詳細に説明する。本実施の形態はデジタルカメラに本発明を適用したものである。
【００２６】
図１には、本実施の形態に係る認証システムの概略構成を概念的に示した。図１に示す認証システム７０では、デジタルカメラ１０は、認証センター６２や認証要求側６４と画像データ等の授受を行うための通信機能を備えており、撮影した画像の画像データを認証センター６２や認証要求側６４に送信することができる。
【００２７】
また、デジタルカメラ１０は、詳細は後述するが、撮影画像を証拠として利用する可能性があり、認証センター６２に画像データを登録する必要があるときに選択されるべき認証モードと、撮影画像を証拠として利用する可能性がなく、認証センター６２に画像データを登録する必要がないときに選択されるべき非認証モードとを切り替えられるようになっている。
【００２８】
認証モードが選択されている場合には、デジタルカメラ１０は、撮影画像の画像データをメモリーカード４２に記録する前に、各種画像処理を行う前の原画像データ及び撮影関連情報を含む画像情報を認証センター６２へ送信し、画像情報の登録を要求する。
【００２９】
ここで、撮影関連情報には、例えば特性情報、撮影情報、及び画像処理情報の少なくとも１つが含まれる。
【００３０】
特性情報としては、例えばデジタルカメラ１０が採用する撮影レンズのレンズ特性や撮像素子のイメージセンサ特性等の情報がある。
【００３１】
撮影情報としては、例えば撮影時の撮影倍率、絞り値及びシャッタースピード等のＡＥ（自動露出調節）制御に関する情報、ＡＦ（自動焦点調節）制御に関する情報等がある。
【００３２】
画像処理情報としては、撮像した画像データ（原画像データ）に施される例えばデモザイク処理、ホワイトバランス処理、カラースペース変換処理、γ変換処理、及び解像度変換処理等の処理パラメータに関する情報がある。なお、具体的な処理内容ではなく、上記の処理を行ったか否かに関する情報のみでもよい。
【００３３】
画像情報の登録を行う場合としては、例えば事件現場や事故現場を撮影した撮影画像を証拠として裁判所や警察、保険会社等が利用する場合や、建設現場の管理に利用する場合、研究発表資料や報道資料、軍事資料として利用する場合等がある。従って、認証要求側６４としては、裁判所や警察、保険会社等がある。
【００３４】
認証センター６２は、デジタルカメラ１０から送信された画像情報を登録し、登録が終了したことをデジタルカメラ１０に通知する。これにより、デジタルカメラ１０は、撮影画像の画像データ（画像処理後の画像データ）をメモリカード４２に記録する。
【００３５】
そして、撮影画像の画像データを証拠として利用したい場合には、認証要求側６４へ提供される。認証要求側６４では、提供された画像データが信頼性のあるものであるか否かを確認したい場合には、提供された画像データを認証センター６２へ送信し、認証要求を行う。
【００３６】
認証センター６２では、認証要求側６４から送信された画像データと登録された画像情報の原画像データとを比較し、比較結果、すなわち認証要求側６４から送信された画像データがオリジナルの画像データであるか否か等の情報を認証結果として認証要求側６４へ通知する。これにより、認証要求側６４では、デジタルカメラ１０のユーザから提供された画像データが証拠としての信頼性があるか否かについて容易に判断することができる。
【００３７】
一方、デジタルカメラ１０において、非認証モードが選択されている場合、すなわち、撮影画像を証拠として利用する必要がない場合には、撮影画像の画像データ（画像処理後の画像データ）は、メモリカード４２にそのまま記録される。
【００３８】
このように、デジタルカメラ１０は、認証モードと非認証モードとを切り替えられるようになっており、認証モードの場合には、認証センター６２に画像情報が登録されないと画像データがメモリカード４２に記録されない。このため、従来の認証システムと比較して、暗号化の機能をデジタルカメラ１０に設ける必要がなく、処理負荷を軽くすることができると共に安価に構成することができる。
【００３９】
図２には、認証システム７０が適用されるネットワークシステム８０の概略構成を模式的に示した。本実施の形態では、ネットワークシステム８０は、通信媒体として、インターネットやその他のネットワークとしてのＬＡＮ（Ｌｏｃａｌ　ＡｒｅａＮｅｔｗｏｒｋ）で代表されるネットワーク８２、各国又は各地域の電話会社が構築・提供する公衆電話網などで代表される通信網８４を含んで構成される。
【００４０】
通信網８４には、例えばＰＳＴＮ（Ｐｕｂｌｉｃ　Ｓｗｉｔｃｈｅｄ　Ｔｅｌｅｐｈｏｎｅ　Ｎｅｔｗｏｒｋ）やＩＳＤＮ（Ｉｎｔｅｇｒａｔｅｄ　Ｓｅｒｖｉｃｅ　Ｄｉｇｉｔａｌ　Ｎｅｔｗｏｒｋ）が含まれる。また、通信網８４として、さらに、ＰＤＣ（Ｐｅｒｓｏｎａｌ　Ｄｉｇｉｔａｌ　Ｃｅｌｌｕｌａｒ）やＰＨＳ（Ｐｅｒｓｏｎａｌ　Ｈａｎｄｙｐｈｏｎｅ　Ｓｙｓｔｅｍ）など各種形式の無線電話網を含むことができる。ネットワーク８２と通信網８４とは、ゲートウェイシステム８８によって相互接続されている。
【００４１】
インターネットで代表されるネットワーク８２には、認証センター６２に属する認証センター側コンピュータ９０、認証要求側６４に属する認証要求側コンピュータ９２が、それぞれモデム、ルータ、ＴＡ（ターミナル・アダプタ：Ｔｅｒｍｉｎａｌ　Ａｄａｐｔｅｒ）等の接続装置を介して接続されている。これらのコンピュータは、ネットワーク８２を介して、相互通信により情報授受が可能な構成である。
【００４２】
ネットワーク８２では、モデムやルータ等の接続装置を経由して相互接続が可能であり、このようなネットワーク上のコンピュータ同士は、例えばＴＣＰ／ＩＰ（Ｔｒａｎｓｍｉｓｓｉｏｎ　Ｃｏｎｔｒｏｌ　Ｐｒｏｔｏｃｏｌ／Ｉｎｔｅｒｎｅｔ　Ｐｒｏｔｏｃｏｌ）などの所定の通信プロトコルに従って相互アクセスが可能である。
【００４３】
一方、通信網８４は、通信機能を備えたデジタルカメラ１０や携帯電話等の通信装置に対するデータの送受信機能を有する基地局８６を備えている。これによって、デジタルカメラ１０や携帯電話等の通信装置は、通信網８４を介してネットワーク８２への参加が可能となる。なお、通信網８４は、デジタルカメラ１０や携帯電話等の通信装置に対するデータの送受信機能は勿論、認証機能や位置検出機能等の付与機能を提供できることが好ましい。
【００４４】
図３には、デジタルカメラ１０のブロック図を示した。このデジタルカメラ１０の撮影光学系１２は撮影レンズ１４及び絞り１６を含んでいる。撮影レンズ１４は１枚又は複数枚のレンズで構成され、例えば単一の焦点距離（固定焦点）のレンズで構成される。
【００４５】
撮影光学系１２を介してＣＣＤ１８の受光面に結像された被写体像は、各センサで入射光量に応じた量の信号電荷に変換される。このようにして蓄積された信号電荷は、ＣＣＤ駆動回路２０から加えられるＣＣＤ駆動パルスによって読み出され、信号電荷に応じた電圧信号（アナログ画像信号）として順次ＣＣＤ１８から出力される。
【００４６】
ＣＣＤ１８には、シャッターゲートを介してシャッタードレインが設けられており、シャッターゲートをシャッターゲートパルスによって駆動することにより、蓄積した信号電荷をシャッタードレインに掃き出すことができる。すなわち、ＣＣＤ１８は、シャッターゲートパルスによって各センサに蓄積される電荷の蓄積時間（シャッタースピード）を制御する、いわゆる電子シャッター機能を有している。
【００４７】
ＣＣＤ１８から読み出された信号は、ＣＤＳ回路２２において相関二重サンプリング（ＣＤＳ）処理されるとともに、Ｒ，Ｇ，Ｂの各色信号に色分離処理され、各色信号の信号レベルの調整が行われる。
【００４８】
これら所定のアナログ信号処理を経た画像信号は、Ａ／Ｄ変換器２４に加えられ、該Ａ／Ｄ変換器２４によりＲ，Ｇ，Ｂのデジタル信号に変換された後、メモリ２６に一時的に格納される。
【００４９】
タイミング信号発生回路（ＴＧ）２８は、ＣＰＵ３０からのコマンドに応じてＣＣＤ駆動回路２０、ＣＤＳ回路２２及びＡ／Ｄ変換器２４に対して適宜のタイミング信号を与えており、各回路はタイミング信号発生回路２８から加えられるタイミング信号により同期して駆動されるようになっている。
【００５０】
ＣＰＵ３０は、デジタルカメラ１０の各回路を統括制御する制御部であり、バス３２を介してゲイン調整回路３４、ガンマ補正回路３６、輝度・色差信号処理回路（ＹＣ処理回路という。）３８、圧縮伸張回路４０、メモリカード４２のカードインターフェース４４、表示部４６を駆動する表示用ドライバー４８、及び通信部５９等と接続されている。
【００５１】
また、ＣＰＵ３０には、不揮発性のメモリ５７が接続されている。このメモリ５７には、後述する制御ルーチンのプログラムや、前述した特性情報等が予め記憶されている。
【００５２】
ＣＰＵ３０は操作部５０からの入力信号に基づいて対応する回路ブロックを制御するとともに、撮影レンズ１４のズーミング動作や自動焦点調節（ＡＦ）動作の制御、並びに自動露出調節（ＡＥ）の制御等を行う。
【００５３】
操作部５０には、画像の記録開始の指示を与えるレリーズボタン、カメラのモード選択手段、ズーム操作手段、その他の各種の入力手段が含まれる。これら入力手段は、スイッチボタン、ダイヤル、スライド式ツマミなど種々の形態があり、タッチパネルや液晶モニタ表示部の画面上において設定メニューや選択項目を表示してカーソルで所望の項目を選択する態様もある。操作部５０はカメラ本体に配設されていてもよいし、リモコン送信機としてカメラ本体と分離した構成にすることも可能である。
【００５４】
また、本実施の形態では、操作部５０の入力手段の１つに、認証モードと非認証モードとを切り替えるための認証スイッチ５８をさらに含んでいる。認証スイッチ５８がオンの場合は認証モードとなり、認証スイッチ５８がオフの場合には、非認証モードとなる。
【００５５】
ＣＰＵ３０は、ＣＣＤ１８から出力される画像信号に基づいて、焦点評価演算やＡＥ演算などの各種演算を行い、その演算に基づいて、撮影レンズ１４及び絞り１６の駆動手段（例えば、ＡＦモータやアイリスモータ等）５２を制御してフォーカスレンズを合焦位置に移動させるとともに、絞り１６を適正絞り値に設定する。
【００５６】
例えば、ＡＦ制御には、Ｇ信号の高周波成分が最大になるようにフォーカスレンズを移動させるコントラストＡＦ方式が採用される。ＡＥ制御には、１フレームのＲ、Ｇ、Ｂ信号を積算した積算値に基づいて被写体輝度（撮影ＥＶ）を求め、この撮影ＥＶに基づいて絞り値とシャッタースピードを決定し、駆動手段５２を介して絞り１６を駆動するとともに、決定したシャッタースピードとなるように電子シャッターによってＣＣＤ１８の電荷の蓄積時間を制御する。したがって、デジタルカメラ１０の撮影レンズ１４を被写体に向けるだけで、最適な露出調整が行われるとともに、ピント合わせが自動的に行われる。
【００５７】
撮影記録時においては、レリーズボタンの「半押し」時に上述した測光動作を複数回繰り返して正確な撮影ＥＶを求め、この撮影ＥＶに基づいて撮影時の絞り値とシャッタースピードを最終的に決定する。そして、レリーズボタンの「全押し」時に前記最終的に決定した絞り値になるように絞り１６を駆動し、また、決定したシャッタースピードとなるように電子シャッターによって電荷の蓄積時間を制御する。なお、ＡＥ、ＡＦはＣＣＤ１８から取得される画像信号に基づいて制御する方法の他、周知の測光センサやＡＦ投光／受光センサからなる測距センサ等を用いてもよい。
【００５８】
また、デジタルカメラ１０はストロボ発光装置５４と、調光用の受光素子５６を有し、操作部５０に含まれるストロボモード設定ボタンの操作に応じて、低輝度時にストロボ発光装置５４を自動的に発光させる「低輝度自動発光モード」、被写体輝度にかかわらずストロボ発光装置５４を発光させる「強制発光モード」、又はストロボ発光装置５４の発光を禁止させる「発光禁止モード」等に設定される。
【００５９】
ＣＰＵ３０は、ユーザーが選択したストロボモードに応じて、ストロボ発光装置５４のメインコンデンサの充電制御や、発光管（例えば、キセノン管）への放電（発光）タイミングを制御するとともに、受光素子５６からの測定結果に基づいて発光停止の制御を行う。受光素子５６はストロボの発光によって照らされる被写体からの反射光を受光し、受光量に応じた電気信号に変換する。受光素子５６の信号は図示せぬ積分回路により積算され、積算受光量が所定の適正受光量に達した時にストロボの発光が停止される。
【００６０】
Ａ／Ｄ変換器２４から出力されたデータは前記メモリ２６に格納されるとともに、積算回路６０に加えられる。積算回路６０は、撮影画面を複数のブロック（例えば、８×８の６４個のブロック）に分割し、各ブロック毎に受入したＧ信号の積算演算を行う。なお、Ｒ、Ｇ、Ｂのデータから輝度信号（Ｙ信号）を生成して、輝度信号の積算演算を行ってもよい。また、積算回路６０はＡＥ演算回路で兼用することもできる。積算回路６０で得られた積算値の情報（演算結果）はＣＰＵ３０に入力される。
【００６１】
ＣＰＵ３０は積算回路６０からの情報に基づき、所定のアルゴリズムに従って撮影画面の評価値Ｅを算出し、求めた評価値Ｅを用いてゲイン調整回路３４におけるゲイン値（増幅率）を決定する。ＣＰＵ３０は決定したゲイン値に従ってゲイン調整回路３４におけるゲイン量を制御する。
【００６２】
メモリ２６に記憶されたＲ、Ｇ、Ｂの画像データはゲイン調整回路３４に送られ、ここで増幅処理される。増幅処理された画像データは、ガンマ補正回路３６において、ガンマ補正処理が施された後、ＹＣ処理回路３８へ送られ、ＲＧＢデータから輝度信号（Ｙ信号）及び色差信号（Ｃｒ，Ｃｂ信号）に変換される。
【００６３】
なお、ＣＰＵ３０は、必要に応じてホワイトバランス処理なども行うことができる。
【００６４】
ＹＣ処理回路３８において生成された輝度・色差信号（ＹＣ信号と略記する）は、メモリ２６に書き戻される。メモリ２６に記憶されたＹＣ信号は表示用ドライバー４８に供給され、所定方式の信号（例えば、ＮＴＳＣ方式のカラー複合映像信号）に変換されて表示部４６に出力される。表示部４６には液晶ディスプレイその他のカラー表示可能な表示装置が用いられる。なお、表示部４６はＹＣ信号入力対応のタイプのものを適用してもよいし、ＲＧＢ信号入力タイプのものを適用してもよく、表示装置に対応したドライバーが適用される。
【００６５】
ＣＣＤ１８から出力される画像信号によって画像データが定期的に書き換えられ、その画像データから生成される映像信号が表示部４６に供給されることにより、ＣＣＤ１８が捉える画像がリアルタイムに動画像（ライブ画像）として、又はリアルタイムではないが、ほぼ連続した画像として表示部４６に表示される。
【００６６】
表示部４６は電子ビューファインダーとして利用でき、撮影者は表示部４６の表示画像又は図示せぬ光学ファインダーによって撮影画角を確認することができる。レリーズボタンの押下操作など所定の記録指示（撮影開始指示）操作に呼応して、記録用の画像データの取り込みが開始される。
【００６７】
撮影者が操作部５０から撮影記録の指示を入力すると、ＣＰＵ３０は必要に応じて圧縮伸張回路４０にコマンドを送り、これにより圧縮伸張回路４０はメモリ２６上のＹＣデータをＪＰＥＧその他の所定の形式に従って圧縮する。圧縮された画像データはカードインターフェース４４を介してメモリカード４２に記録される。
【００６８】
非圧縮の画像データを記録するモード（非圧縮モード）が選択されている場合には、前記圧縮伸張回路４０による圧縮処理を実施せずに、非圧縮のまま画像データがメモリカード４２に記録される。
【００６９】
本実施の形態のデジタルカメラ１０は、画像データを保存する手段としてメモリカード４２が用いられている。具体的には、例えばスマートメディア等の記録メディアが適用される。記録メディアの形態は上記のものに限らず、ＰＣカード、マイクロドライブ、マルチメディアカード（ＭＭＣ）、磁気ディスク、光ディスク、光磁気ディスク、メモリスティックなど種々の形態が可能であり、使用される媒体に応じた信号処理手段とインターフェースが適用される。
【００７０】
また、再生モード時にはメモリカード４２から読み出された画像データが圧縮伸張回路４０によって伸張処理され、表示用ドライバー４８を介して表示部４６に出力される。
【００７１】
ＣＰＵ３０は、認証スイッチ５８がオンの場合、すなわち認証モードに設定されている場合には、通常の処理のように画像処理等を行った画像データと共に、画像処理等を行う前の原画像データをメモリ２６に記憶させる。すなわち、認証モードが設定されている場合には、ＣＰＵ３０は、例えばゲイン調整回路３４による増幅処理、ガンマ補正回路３６によるガンマ補正処理、ホワイトバランス処理等の処理が行われる前の原画像データもメモリ２６に記憶する。
【００７２】
そして、この原画像データを、撮影時に取得される撮影情報や画像処理情報、予めメモリ５７に記憶された特性情報を含む撮影関連情報と共に、画像情報として認証センター６２へ送信する。認証センター６２から画像情報の登録が完了した旨が通知された場合には、画像処理後の画像データをメモリカード４２へ記憶する。
【００７３】
一方、非認証モードが設定されている場合には、通常通り画像処理が行われた後の画像データをメモリカード４２に記憶する。
【００７４】
ＣＰＵ３０は、バス３２を介して通信部５９と接続されている。通信部５９は、基地局８６と通信するためのインターフェースであり、ＣＰＵ３０は、通信部５９を介して認証センター側コンピュータ９０や認証要求側コンピュータ９２と情報の授受を行うことができる。
【００７５】
また、ＣＰＵ３０は、バス３２を介して外部Ｉ／Ｆ６１と接続されている。外部Ｉ／Ｆ６１は、例えばパソコンなどの外部機器と情報の授受を行うためのインターフェースであり、例えばＵＳＢ（Ｕｎｉｖｅｒｓａｌ　Ｓｅｒｉａｌ　Ｂｕｓ）や、ＩＥＥＥ１３９４等のインターフェースを用いることができる。
【００７６】
なお、撮影系１２及びＣＣＤ１８は本発明の撮像手段に相当し、メモリ２６は本発明の記憶手段に相当し、通信部５９は本発明の要求手段に相当し、ＣＰＵ３０は本発明の制御手段に相当し、外部Ｉ／Ｆ６１は本発明の外部インターフェースに相当する。
【００７７】
図４には、認証センター側コンピュータ９０の概略構成が示されている。認証センター側コンピュータ９０は、ＣＰＵ９０Ａ、ＲＯＭ９０Ｂ、ＲＡＭ９０Ｃ、入出力ポート（Ｉ／Ｏ）９０Ｄを備え、これらはアドレスバス、データバス、制御バス等のバスを介して互いに接続されている。
【００７８】
入出力ポート９０Ｄには、通信装置９０Ｅ、各種の入出力機器として、ポインティング・デバイスであるマウス９０Ｆ、キーボード９０Ｇ、ＣＲＴやＬＣＤから成るディスプレイ９０Ｈ、記憶媒体に対してデータやコマンドの読み出し及び書き出しの少なくとも一方を行う記録装置（Ｒ／Ｗ）９０Ｊ、後述する各種データやデータベースを記憶するハードディスク装置等の記憶装置９０Ｋが各々接続されている。
【００７９】
記憶装置９０Ｋには、後述する処理ルーチン等の処理プログラムを記憶したファイル９４、登録された画像情報を記憶した画像情報データベース９６が含まれている。
【００８０】
通信装置９０Ｅは、他のコンピュータと相互通信による情報授受を可能とするためにネットワーク８２に接続されている。この通信装置９０Ｅには、例えば、電話回線やインターネットに接続するためのモデム、ルータ、ＴＡ（ターミナル・アダプタ：Ｔｅｒｍｉｎａｌ　Ａｄａｐｔｅｒ）等の接続装置がある。
【００８１】
上記記録装置９０Ｊには、記録媒体としてのフレキシブルディスクが挿抜可能なフレキシブルディスクユニット（ＦＤＵ）がある。なお、後述する処理ルーチン等は、ＦＤＵを用いてフレキシブルディスクに対して読み書き可能である。従って、後述する処理ルーチンは、ＲＯＭ９０Ｂに記憶することなく、予めフレキシブルディスクに記録しておき、ＦＤＵを介してフレキシブルディスクに記録された処理プログラムを実行してもよい。本実施の形態では、認証センター側コンピュータ９０に装備したハードディスク装置等の大容量の記憶装置９０Ｋに、フレキシブルディスク等の記憶媒体に記録された処理プログラムを格納（インストール）して該当する処理を実行する。なお、記録媒体としては、ＣＤ−ＲＯＭ，ＭＤ，ＭＯ，ＤＶＤ等のディスクやＤＡＴ等の磁気テープがあり、これらを用いるときには、上記ＦＤＵに代えてまたはさらにＣＤ−ＲＯＭ装置、ＭＤ装置、ＭＯ装置、ＤＶＤ装置、ＤＡＴ装置等を用いればよい。
【００８２】
なお、認証要求側コンピュータ９２は、認証センター側コンピュータ９０と略同様の構成であり、汎用的かつ一般的なハードウェア構成であるため、詳細な説明を省略する。
【００８３】
次に、本実施の形態の作用として、デジタルカメラ１０で実行される制御ルーチン及び認証センター側コンピュータ９０で実行される制御ルーチンについて、図５、６に示すフローチャートを参照して説明する。
【００８４】
図５に示す制御ルーチンは、レリーズボタンが半押しされた場合に実行される。すなわち、レリーズボタンが半押しされ、前述したＡＥ制御やＡＦ制御により絞り値やシャッタースピードが決定された状態で実行される。
【００８５】
デジタルカメラ１０は、図５に示すステップ１００において、レリーズボタンが全押しされたか否かを判断する。そして、レリーズボタンが全押しされていない場合には、ステップ１００の判断が否定され、本ルーチンを終了する。
【００８６】
一方、レリーズボタンが全押しされた場合には、ステップ１００の判断が肯定され、ステップ１０２へ移行する。
【００８７】
ステップ１０２では、認証モードが設定されているか否かが判断される。この判断は、認証スイッチ５８がオンになっているか否かにより判断される。そして、認証モードが設定されている場合には、ステップ１０２の判断が肯定され、ステップ１０４へ移行する。
【００８８】
一方、認証モードが設定されていない場合、すなわち、非認証モードが設定されている場合には、ステップ１０２の判断が否定され、ステップ１１２へ移行する。
【００８９】
ステップ１０４では、認証モードに応じた撮像処理が行われ、通常の撮像処理のように各種画像処理等を行った画像データと共に、画像処理前の原画像データをメモリ２６に記憶させる。
【００９０】
ステップ１０６では、原画像データを、撮影時の撮影倍率や絞り値、シャッタースピード等の情報を含む撮影情報、画像処理が施された画像データの前記画像処理の処理内容を表す画像処理情報、及び、予めメモリ５７に記憶された撮影レンズ１４の特性を表すレンズデータ、ＣＣＤ１８の特性を表す特性データ等の特性情報を含む撮影関連情報と共に、画像情報として認証センター側コンピュータ９０へ通信部５９を介して送信する。
【００９１】
ステップ１０８では、認証センター側コンピュータ９０から画像情報の登録完了通知を受信したか否かを判断する。
【００９２】
認証センター側コンピュータ９０から登録完了通知を受信していない場合には、ステップ１０８の判断が否定され、登録完了通知を受信するまで待機する。一方、認証センター側コンピュータ９０から登録完了通知を受信した場合には、ステップ１０８の判断が肯定され、ステップ１１０へ移行する。
【００９３】
ステップ１１０では、画像処理が施された後の画像データをメモリカード４２へ記憶すると共に、外部Ｉ／Ｆ６１による外部への画像データの出力を許可する。これにより、画像データの利用が可能となる。
【００９４】
非認証モードが設定されている場合には、ステップ１１２において、非認証モードに応じた撮像処理が行われる。すなわち、通常の撮像処理が行われ、ステップ１１０において、通常の画像処理が施された後の画像データがメモリカード４２に記憶される。
【００９５】
次に、認証センター側コンピュータ９０で実行される制御ルーチンについて図６に示すフローチャートを参照して説明する。
【００９６】
図６に示す制御ルーチンは、所定時間毎に実行される。
【００９７】
認証センター側コンピュータ９０では、図６に示すステップ２００において、デジタルカメラ１０から登録要求がなされたか否か、すなわち、原画像データ及び撮影関連情報を含む画像情報を受信したか否かを判断する。
【００９８】
そして、画像情報を受信していない場合には、ステップ２００の判断が否定され、ステップ２０６へ移行する。一方、画像情報を受信した場合には、ステップ２００の判断が肯定され、ステップ２０２へ移行する。
【００９９】
ステップ２０２では、受信した画像情報を、画像情報データベース９６に登録する。
【０１００】
ステップ２０４では、登録が完了した旨をデジタルカメラ１０に通知するべく、登録完了信号をデジタルカメラ１０に送信する。
【０１０１】
ステップ２０６では、認証要求側コンピュータ９２から認証要求が成されたか否か、すなわち、認証要求用の画像データを受信したか否かを判断する。そして、認証要求用の画像データを受信していない場合には、ステップ２０６の判断が否定され、本ルーチンを終了する。一方、認証要求用の画像データを受信した場合には、ステップ２０６の判断が肯定され、ステップ２０８へ移行する。
【０１０２】
ステップ２０８では、受信した画像データの認証処理を行う。具体的には、まず画像情報データベース９６に登録された画像情報の中から受信した画像データに対応する画像情報を特定する。これは、例えばファイル名などが一致するか否か等から判断することができる。
【０１０３】
そして、例えば画像情報に含まれる原画像データを画像処理情報に基づいて画像処理し、この画像処理された画像データと、認証要求側コンピュータ９２から送信された画像データとを比較する。そして、一致する場合には、認証要求側コンピュータ９２から送信された画像データがオリジナルの画像データであることを示す情報を認証要求側コンピュータ９２へ送信する認証結果情報に含め、一致しない場合には、認証要求側コンピュータ９２から送信された画像データがオリジナルの画像データでないことを示す情報を認証結果情報に含める。
【０１０４】
また、原画像データが、画像処理情報で特定される画像処理が施されることにより画像処理された画像データ、すなわち認証要求された画像データとどの程度異なるか、例えば撮影レンズやＣＣＤの特性、画像処理等によりどの色の再現性が悪くなるか等を撮影関連情報に基づいて判定する。そして、この判定結果を認証結果情報に含める。例えば、青緑色の再現性が悪いと判断されるような場合には、認証要求された画像データを証拠として用いることができないと判定し、これを認証結果情報に含める。このように、画像処理情報を含む撮影関連情報も登録するため、認証要求された画像データの画像が原シーンに対してどれだけ忠実であるかを判定することができ、より精度よく認証することが可能となる。
【０１０５】
そして、ステップ２１０では、認証結果情報を認証要求側コンピュータ９２へ送信する。なお、この認証結果情報に、撮影関連情報を含めるようにしてもよい。これにより、認証要求側において、原画像データに対してどのような画像処理が施されているのか等について容易に把握することができる。
【０１０６】
これにより、認証要求側６４では、提供された画像データが証拠としての信頼性を有するか否かを容易に判断することができる。
【０１０７】
また、認証モードが設定されている場合には、認証センター６２において登録が完了するまでは画像データをメモリカード４２に記録せず、登録が完了した後にメモリカード４２に画像データを記録する。このため、認証センター６２へ送信する画像データを暗号化する必要がなく、デジタルカメラ１０の処理負荷を軽減することができると共に、安価に構成することができる。
【０１０８】
また、原画像データと撮影関連情報とを登録するため、原画像データに対してどのような画像処理が施されているのか等について容易に把握することができ、認証要求された画像データの画像が原シーンに対してどれだけ忠実であるかを判断することができる。
【０１０９】
なお、本実施の形態では、画像処理前の原画像データ及び撮影関連情報を認証センター６２へ送信する場合について説明したが、これに限らず、画像処理後の画像データ及び撮影関連情報を認証センター６２へ送信するようにしてもよい。
【０１１０】
また、撮影関連情報に、撮影位置情報、撮影時刻情報、撮影者名や撮影者のＩＤの情報、デジタルカメラの型番や製造番号などの情報を含めるようにしてもよい。この場合、撮影位置情報を取得するには、例えばＧＰＳ（Ｇｌｏｂａｌ　Ｐｏｓｉｔｉｏｎｉｎｇ　Ｓｙｓｔｅｍ）センサ等を用いることができる。また、撮影時刻情報は、内蔵時計で取得した場合には改ざんの恐れもあるため、標準時刻電波を受信し、これを用いるようにしてもよい。また、撮影者のＩＤは、例えば認証センターによって事前に利用者登録された際に付与されたＩＤであり、単に記号などの符号で表したものを用いてもよいが、ユーザの指紋データなどをＩＤとして用いてもよい。このような情報を撮影関連情報に含めることにより、画像データの信頼性をより正確に判断することが可能となる。
【０１１１】
また、本実施の形態では、画像処理後の画像データをメモリカード４２に記憶するようにしたが、原画像データのみ、又は原画像データ及び撮影関連情報をメモリカード４２に記憶するようにしてもよい。
【０１１２】
また、本実施の形態では、デジタルカメラに本発明を適用した場合について説明したが、これに限らず、デジタルカメラ付きの携帯電話に本発明を適用可能であることはいうまでもない。
【０１１３】
【発明の効果】
以上説明したように、本発明によれば、撮像画像の画像データ及び撮像手段の撮像に関する撮像関連情報の登録を認証センターへ要求するようにしたので、より精度よく認証することができる、という優れた効果を有する。
【図面の簡単な説明】
【図１】認証システムの概略構成図である。
【図２】認証システムが適用されたネットワークシステムの概略構成図である。
【図３】デジタルカメラのブロック図である。
【図４】認証センター側コンピュータのブロック図である。
【図５】デジタルカメラで実行される処理ルーチンのフローチャートである。
【図６】認証センター側コンピュータで実行される処理ルーチンのフローチャートである。
【図７】従来における認証システムの概略構成図である。
【符号の説明】
１０　デジタルカメラ
４２　メモリカード
５７　メモリ
５８　認証スイッチ
５９　通信部
６２　認証センター
６４　認証要求側
７０　認証システム
８０　ネットワークシステム
９０　認証センター側コンピュータ
９２　認証要求側コンピュータ
９６　画像情報データベース
【図１】
2004023147.tif 000003
【図２】
2004023147.tif 000004
【図３】
2004023147.tif 000005
【図４】
2004023147.tif 000006
【図５】
2004023147.tif 000007
【図６】
2004023147.tif 000008
【図７】
2004023147.tif 000009